(57)【要約】【課題】ユーザが間違って原水を利用したり、流出口が原水で汚染されたりするのを防ぐことができる浄水器を提供する。【解決手段】浄水器用カートリッジ１０１は、第１カートリッジ側接続口１０３と第２カートリッジ側接続口１０４とを有する。浄水器本体１０２は、第１カートリッジ側接続口１０３が着脱される第１本体側接続口１１１と、第２カートリッジ側接続口１０４が着脱される第２本体側接続口１１２と、原水が流入する流入口１１３と、原水の浄化時に浄水が流出する流出口１１４と、浄水器用カートリッジの交換時に原水を排出可能な排水口１１５とを有する。第１弁体１０９は、第１カートリッジ側接続口１０３と第１本体側接続口１１１との接続または離間に連動して、入口１１３と第１本体側接続口１１１との間を開放または閉鎖すると共に、入口１１３と排水口１１５との間を閉鎖または開放する。【選択図】図１
2012217979.tif 000002
【特許請求の範囲】
【請求項１】
第１カートリッジ側接続口と第２カートリッジ側接続口とを有すると共に、内部に原水を濾過する濾過部材を有する浄水器用カートリッジと、
上記第１カートリッジ側接続口が着脱される第１本体側接続口と、
上記第２カートリッジ側接続口が着脱される第２本体側接続口と、
原水が流入する流入口と、
原水の浄化時に浄水が流出する流出口と、
上記浄水器用カートリッジの交換時に原水を排出可能な排水口と、
上記第１カートリッジ側接続口と上記第１本体側接続口との接続または離間に連動して、上記流入口と上記第１本体側接続口との間を開放または閉鎖すると共に、上記流入口と上記排水口との間を閉鎖または開放する第１の手段と
を備えたことを特徴とする浄水器。
【請求項２】
請求項１に記載の浄水器において、
上記第１の手段は、
上記第１本体側接続口を開閉する第１本体側接続口開閉部と、
上記排水口を開閉する排水口開閉部と
を有することを特徴とする浄水器。
【請求項３】
請求項１または２に記載の浄水器において、
上記第１本体側接続口と上記第１カートリッジ側接続口との間をシールする第１シール部材を備え、
上記第１の手段は、上記第１シール部材が上記第１本体側接続口と上記第１カートリッジ側接続口との間をシールした状態で、上記流入口と上記第１本体側接続口との間を開放または閉鎖したり、上記流入口と上記排水口との間を閉鎖または開放したりするようになっていることを特徴とする浄水器。
【請求項４】
請求項１から３までのいずれか一項に記載の浄水器において、
上記第２カートリッジ側接続口と上記第２本体側接続口との接続または離間に連動して、上記第２本体側接続口と上記流出口との間を開放または閉鎖する第２の手段を備えたことを特徴とする浄水器。
【請求項５】
請求項４に記載の浄水器において、
上記第２本体側接続口と上記第２カートリッジ側接続口との間をシールする第２シール部材を備え、
上記第２の手段は、上記第２シール部材が上記第２本体側接続口と上記第２カートリッジ側接続口との間をシールした状態で、上記第２本体側接続口と上記流出口との間を開放または閉鎖するようになっていることを特徴とする浄水器。
【請求項６】
請求項４または５に記載の浄水器において、
上記第２の手段が開閉弁であることを特徴とする浄水器。
【請求項７】
請求項１から６までのいずれか一項に記載の浄水器において、
上記第１の手段が切換弁であることを特徴とする浄水器。
【発明の詳細な説明】
【技術分野】
【０００１】
本発明は浄水器に関する。
【背景技術】
【０００２】
従来、浄水器としては、特開２００８−１０４９０２号公報に開示されているように、浄水器本体と、この浄水器本体に着脱可能なカートリッジフィルタと、浄水器本体内の水の流れを制御する弁体と、この弁体を手動で操作するための操作部とを備えたものがある。
【０００３】
上記浄水器本体は、原水が流入する流入口と、カートリッジフィルタで生成された浄水が流出する流出口とを有している。上記流入口に流入した原水は、浄水器本体内の第１，第２流路のどちらか一方を流れて流出口に向かうようになっている。この第１流路は、流入口に流入した原水をカートリッジフィルタを通過させて流出口に向かわせる流路である。一方、上記第２流路は、流入口に流入した原水をカートリッジフィルタを通過させずに流出口に向かわせる流路である。
【０００４】
上記弁体は、浄水器本体の流入口を第１流路に接続したり、第２流路に接続したりするためのものである。より詳しくは、ユーザは、操作部の手動操作で弁体を駆動することにより、浄水器本体の流入口の接続先を、第１流路から第２流路に切り換えたり、第２流路から第１流路に切り換えたりすることができるようになっている。
【０００５】
上記従来の浄水器で原水を浄水にする場合、浄水器本体にカートリッジフィルタを付けた状態、かつ、浄水器本体の流入口を第１流路に接続した状態で、浄水器本体の流入口に原水を供給する。そうすると、上記原水がカートリッジフィルタを通過して浄水となった後、流出口に流れる。したがって、ユーザは流出口から浄水を取り出すことができる。
【０００６】
また、上記カートリッジフィルタが劣化した場合、ユーザは、操作部の手動操作で弁体を駆動することにより、浄水器本体の流入口の接続先を第１流路から第２流路に切り換えた後、カートリッジフィルタを交換する。このカートリッジフィルタの交換中に、流入口に原水を供給しても、この原水は第２流路を流れるので、カートリッジフィルタ側に流れずに流出口へ向かう。したがって、原水の給水を停止する必要なく、カートリッジフィルタの交換中の水漏れを防ぐことができる。
【０００７】
そして、上記カートリッジフィルタの交換後、ユーザは、操作部の手動操作で弁体を駆動することにより、浄水器本体の流入口の接続先を第２流路から第１流路に切り換えれば、劣化していない新しいカートリッジフィルタで浄水を生成して利用できる。
【先行技術文献】
【特許文献】
【０００８】
【特許文献１】特開２００８−１０４９０２号公報
【発明の概要】
【発明が解決しようとする課題】
【０００９】
ところで、上記従来の浄水器では、カートリッジフィルタの交換において、ユーザが、劣化した古いカートリッジフィルタを浄水器本体から取り外したが、劣化していない新しいカートリッジフィルタを浄水器本体に付け忘れたまま、浄水器本体の流入口の接続先を第２流路から第１流路に切り換えたとする。この状態で流入口に原水を供給すると、原水は第１流路を流れるが、カートリッジフィルタが無いため、浄水にならずにそのまま流出口に流れてしまう。その結果、ユーザは流出口から取り出した原水を浄水だと勘違いしてしまう。また、ひどい汚れの原水（汚水）が流入口に供給された場合には、その原水の汚れによって流出口が汚染され、その汚れを除去するための捨て水に時間を要する。
【００１０】
したがって、上記従来の浄水器には、ユーザが原水を浄水と間違って利用してしまうことがあるという問題と、流出口が原水の汚れに汚染されるという問題とがある。
【００１１】
そこで、本発明の課題は、ユーザが間違って原水を利用したり、流出口が原水で汚染されたりするのを防ぐことができる浄水器を提供することにある。
【課題を解決するための手段】
【００１２】
上記課題を解決するため、本発明の浄水器は、
第１カートリッジ側接続口と第２カートリッジ側接続口とを有すると共に、内部に原水を濾過する濾過部材を有する浄水器用カートリッジと、
上記第１カートリッジ側接続口が着脱される第１本体側接続口と、
上記第２カートリッジ側接続口が着脱される第２本体側接続口と、
原水が流入する流入口と、
原水の浄化時に浄水が流出する流出口と、
上記浄水器用カートリッジの交換時に原水を排出可能な排水口と、
上記第１カートリッジ側接続口と上記第１本体側接続口との接続または離間に連動して、上記流入口と上記第１本体側接続口との間を開放または閉鎖すると共に、上記流入口と上記排水口との間を閉鎖または開放する第１の手段と
を備えたことを特徴としている。
【００１３】
上記構成によれば、上記原水から浄水を生成する場合、第１，第２本体側接続口に浄水器用カートリッジの第１，第２カートリッジ側接続口を接続する。これにより、上記第１の手段が、流入口と第１本体側接続口との間を開放すると共に、流入口と排水口との間を閉鎖する。その結果、上記流入口に原水を供給すれば、この原水は、第１本体側接続口に流れて、第１カートリッジ側接続口から浄水器用カートリッジ内に入って、濾過部材で濾過されて浄水となった後、第２カートリッジ側接続口から浄水器用カートリッジ外に出て、第２本体側接続口から流出口に流れることができる。したがって、ユーザは流出口から浄水を取り出して利用できる。
【００１４】
一方、上記浄水器用カートリッジを交換する場合、第１，第２本体側接続口から浄水器用カートリッジの第１，第２カートリッジ側接続口を離間させる。これにより、上記第１の手段が、流入口と第１本体側接続口との間を閉鎖すると共に、流入口と排水口との間を開放する。その結果、上記流入口に原水を供給しても、この原水は、第１本体側接続口ではなく、排水口に流れるので、流出口に流れない。したがって、上記濾過部材で濾過されていない原水が流出口から流出しないようにすることができる。
【００１５】
このように、上記流入口に供給された原水を濾過部材で濾過して浄水にできる場合だけ、流出口から浄水が流出するようにすることができる。したがって、ユーザが間違って原水を利用するのを防ぐことができる。
【００１６】
また、上記浄水器用カートリッジの交換中、流入口に原水を供給しても、その原水は排水口から流出するので、流入口と第１本体側接続口との間の水路や、流入口と排水口との間の水路に過大な水圧がかからない。したがって、上記流入口と第１本体側接続口との間の水路や、流入口と排水口との間の水路が原水の水圧で損傷するのを防ぐこともできる。
【００１７】
また、上記第１，第２本体側接続口から浄水器用カートリッジの第１，第２カートリッジ側接続口を離間させた状態で、流入口に原水を供給しても、この原水は流出口に流れないので、浄水器用カートリッジの交換時、ユーザが流出口からの水で濡れるのを防ぐことができる。
【００１８】
また、上記状態で、仮に、流入口に汚水を供給しても、その汚水が流出口を通過しないので、汚水による流出口の汚染を防ぎ、流出口の清潔さを保つことができる。
【００１９】
また、上記汚水による流出口の汚染を防ぐことができるので、流出口を清潔にするためだけに、流出口に浄水を流さなくて済む。すなわち、いわゆる捨て水を無くすことができる。したがって、上記捨て水を流す時間も無くすことができる。
【００２０】
一実施形態の浄水器では、
上記第１の手段は、
上記第１本体側接続口を開閉する第１本体側接続口開閉部と、
上記排水口を開閉する排水口開閉部と
を有する。
【００２１】
上記実施形態によれば、上記第１の手段は、第１本体側接続口を開閉する第１本体側接続口開閉部を有するので、浄水器用カートリッジの交換時、第１本体側接続口を第１本体側接続口開閉部で閉鎖すれば、原水が第１本体側接続口から流出するのを確実に防ぐことができる。
【００２２】
また、上記第１の手段は、排水口を開閉する排水口開閉部を有するので、浄水の生成時、排水口を排水口開閉部で閉鎖すれば、第１本体側接続口へ向かう原水の量が低下するのを確実に防ぐことができる。したがって、上記浄水を効率良く生成することができる。
【００２３】
一実施形態の浄水器では、
上記第１本体側接続口と上記第１カートリッジ側接続口との間をシールする第１シール部材を備え、
上記第１の手段は、上記第１シール部材が上記第１本体側接続口と上記第１カートリッジ側接続口との間をシールした状態で、上記流入口と上記第１本体側接続口との間を開放または閉鎖したり、上記流入口と上記排水口との間を閉鎖または開放したりするようになっている。
【００２４】
上記実施形態によれば、上記第１の手段は、第１シール部材が第１本体側接続口と第１カートリッジ側接続口との間をシールした状態で、流入口と第１本体側接続口との間を開放または閉鎖するようになっているので、この開閉中に、第１本体側接続口から水漏れするのを防ぐことができる。
【００２５】
また、上記第１の手段は、第１シール部材が第１本体側接続口と第１カートリッジ側接続口との間をシールした状態で、流入口と排水口との間を閉鎖または開放するようになっているので、この開閉中に、第１本体側接続口から水漏れするのを防ぐことができる。
【００２６】
一実施形態の浄水器は、
上記第２カートリッジ側接続口と上記第２本体側接続口との接続または離間に連動して、上記第２本体側接続口と上記流出口との間を開放または閉鎖する第２の手段を備えている。
【００２７】
上記実施形態によれば、上記第２本体側接続口から第２カートリッジ側接続口を離間させたときに、第２の手段が第２本体側接続口と流出口との間を閉鎖するので、流出口から水が流出するのを確実に防ぐことができる。
【００２８】
一実施形態の浄水器では、
上記第２本体側接続口と上記第２カートリッジ側接続口との間をシールする第２シール部材を備え、
上記第２の手段は、上記第２シール部材が上記第２本体側接続口と上記第２カートリッジ側接続口との間をシールした状態で、上記第２本体側接続口と上記流出口との間を開放または閉鎖するようになっている。
【００２９】
上記実施形態によれば、上記第２の手段は、第２シール部材が第２本体側接続口と第２カートリッジ側接続口との間をシールした状態で、第２本体側接続口と流出口との間を開放または閉鎖するようになっているので、この開閉中に、第２本体側接続口から水漏れするのを防ぐことができる。
【００３０】
一実施形態の浄水器では、
上記第２の手段が開閉弁である。
【００３１】
上記実施形態によれば、上記第２の手段が開閉弁であるので、第２本体側接続口と流出口との間を開放または閉鎖を適切に行うことができる。
【００３２】
一実施形態の浄水器では、
上記第１の手段が切換弁である。
【００３３】
上記実施形態によれば、上記第１の手段が切換弁であるので、流入口と第１本体側接続口との間の開放または閉鎖、および、流入口と排水口との間を閉鎖または開放を適切に行うことができる。
【発明の効果】
【００３４】
本発明の浄水器によれば、第１，第２本体側接続口に浄水器用カートリッジの第１，第２カートリッジ側接続口を接続したときに、第１の手段が、流入口と第１本体側接続口との間を開放すると共に、流入口と排水口との間を閉鎖するので、流入口に供給された原水を、第１本体側接続口から浄水器用カートリッジに送って浄水にした後、流出口に流すことができる。
【００３５】
一方、上記第１，第２本体側接続口から浄水器用カートリッジの第１，第２カートリッジ側接続口を離間させたときに、第１の手段が、流入口と第１本体側接続口との間を閉鎖すると共に、流入口と排水口との間を開放するので、流入口に供給された原水を、流出口側ではなく、排水口側に流すことができる。すなわち、上記原水が流出口に流れないようにすることができる。
【００３６】
したがって、上記流出口から流出する水を浄水に制限できるので、ユーザが間違って原水を利用するのを防ぐことができる。
【００３７】
また、上記流入口と第１本体側接続口との間が閉鎖されている状態で、流入口に原水を供給しても、その原水を排水口から排水できるので、流入口と第１本体側接続口との間の水路や、流入口と排水口との間の水路が原水の水圧で損傷するのを防ぐこともできる。
【００３８】
また、上記第１，第２本体側接続口から浄水器用カートリッジの第１，第２カートリッジ側接続口を離間させた状態で、流入口に原水を供給しても、この原水は流出口に流れないので、浄水器用カートリッジの交換時、流出口から流出した水がユーザを濡らす事態が起きないようにすることができる。
【００３９】
また、上記状態で、仮に、流入口に汚水が供給されたとしても、その汚水が流出口を通過しないので、汚水による流出口の汚染を防ぎ、流出口の清潔さを保つことができる。
【００４０】
また、上記汚水による流出口の汚染を防ぐことができることによって、流出口を清潔にするためだけのいわゆる捨て水を無くすことができるので、捨て水を流す時間も無くすことができる。
【図面の簡単な説明】
【００４１】
【図１】図１は本発明の一実施形態の浄水器の要部の模式断面図である。
【図２】図２は上記浄水器の要部の他の状態の模式断面図である。
【図３】図３は上記実施形態の第１本体側接続口を上方から見た模式図である。
【図４】図４は上記実施形態の第２本体側接続口を上方から見た模式図である。
【図５】図５は上記浄水器が設置されたシステムキッチンの模式斜視図である。
【図６】図６は本発明の他の実施形態の浄水器の要部の模式図である。
【発明を実施するための形態】
【００４２】
以下、本発明の浄水器を図示の実施形態により詳細に説明する。
【００４３】
図１に、浄水器用カートリッジ１０１が浄水器本体１０２に装着されていない状態の浄水器１の要部の断面を模式的に示す。
【００４４】
上記浄水器１は、浄水器用カートリッジ１０１と、この浄水器用カートリッジ１０１が着脱される浄水器本体１０２とを備えている。
【００４５】
上記浄水器用カートリッジ１０１には円筒状の第１カートリッジ側接続口１０３と円筒状の第２カートリッジ側接続口１０４とが設けられている。また、上記浄水器用カートリッジ１０１は濾過部材１０５を内部に搭載している。この濾過部材１０５は、原水の一例としての水道水を濾過して浄水にする部材（例えば精密ろ過膜、限外ろ過膜、ナノろ過膜、逆浸透膜等）であり、例えば０．５ｍｍ〜３０ｍｍ程度の太さで中が空胴の糸状に成型したものであってもよいし、膜状に成型されたものであってもよい。
【００４６】
上記第１カートリッジ側接続口１０３の外周面には、第１シール部材の一例としての樹脂製の第１カートリッジ側Ｏリング１０６が取り付けられている。この第１カートリッジ側Ｏリング１０６は、後述する第１本体側接続口１１１と、第１カートリッジ側接続口１０３との間をシールする。
【００４７】
上記第２カートリッジ側接続口１０４の外周面には、第２シール部材の一例としての樹脂製の第２カートリッジ側Ｏリング１０７が取り付けられている。この第２カートリッジ側Ｏリング１０７は、後述する第２本体側接続口１１２と、第２カートリッジ側接続口１０４との間をシールする。
【００４８】
上記浄水器本体１０２は、ハウジング１０８と、このハウジング１０８内に設けられた第１弁体１０９と、ハウジング１０８内に設けられた第２弁体１１０とを有している。このハウジング１０８には、第１本体側接続口１１１、第２本体側接続口１１２、流入口１１３、流出口１１４および排水口１１５が設けられている。この第１本体側接続口１１１、第２本体側接続口１１２、流入口１１３、流出口１１４および排水口１１５は全て円柱状であり、第１本体側接続口１１１が排水口１１５と同一直線上に位置している。また、上記流入口１１３には水道管２の一端が接続されていると共に、流出口１１４には供給管３の一端が接続されている。また、上記排水口１１５は排水管４の一端が接続されており、この排水管４には逆止弁５が設けられている。この逆止弁５は、浄水器本体１０２外から排水管４を介して排水口１１５に水が流入するのを阻止する。なお、上記第１弁体１０９は第１の手段の一例である
【００４９】
上記第１弁体１０９は、第１カートリッジ側接続口１０３と第１本体側接続口１１１との接続または離間に連動して、流入口１１３と第１本体側接続口１１１流入口１１３と第１本体側接続口１１１との間を開放または閉鎖すると共に、流入口１１３と排水口１１５との間を閉鎖または開放する切換弁の弁体である。この第１弁体１０９は、棒状の第１押し棒１１６と、第１本体側接続口１１１を開閉する円板状の第１本体側接続口開閉部１１７と、排水口１１５を開閉する円板状の排水口開閉部１１８とを有している。
【００５０】
上記第１押し棒１１６は、排水口１１５内に設けられた棒状の支持部１１９に軸方向に摺動可能に支持されている。上記支持部１１９と排水口開閉部１１８との間には第１コイルバネ１２０が配置されている。この第１コイルバネ１２０は第１弁体１０９を第１本体側接続口１１１側に付勢している。
【００５１】
上記第１本体側接続口開閉部１１７は、排水口開閉部１１８よりも第１本体側接続口１１１に近くに位置するように第１押し棒１１６に固定されている。そして、上記第１本体側接続口開閉部１１７の周縁部には樹脂製の第１本体側Ｏリング１２１が取り付けられている。この第１本体側Ｏリング１２１が第１本体側接続口開閉部１１７と第１本体側接続口１１１との間をシールする。
【００５２】
上記排水口開閉部１１８は、第１本体側接続口開閉部１１７よりも排水口１１５に近くに位置するように第１押し棒１１６に固定されている。そして、上記排水口開閉部１１８の周縁部には樹脂製の第３本体側Ｏリング１２２が取り付けられている。この第３本体側Ｏリング１２２が排水口開閉部１１８と排水口１１５との間をシールする。
【００５３】
上記第２弁体１１０が、第２カートリッジ側接続口１０４と第２本体側接続口１１２との接続または離間に連動して、第２本体側接続口１１２と流出口１１４との間を開放または閉鎖する開閉弁の弁体である。この第２弁体１１０は、棒状の第２押し棒１２３と、第２本体側接続口１１２を開閉する円板状の第２本体側接続口開閉部１２４とを有する。  
【００５４】
上記第２押し棒１２３は、図示しない支持部に軸方向に摺動可能に支持されている。上記第２本体側接続口開閉部１２４とハウジング１０８との間には第２コイルバネ１２５が配置されている。この第２コイルバネ１２５が第２弁体１１０を第２本体側接続口１１２側に付勢している。
【００５５】
上記第２本体側接続口開閉部１２４は第２押し棒１２３に固定されている。そして、上記第２本体側接続口開閉部１２４の周縁部には樹脂製の第２本体側Ｏリング１２６が取り付けられている。この第２本体側Ｏリング１２６が第２本体側接続口開閉部１２４と第２本体側接続口１１２との間をシールする。
【００５６】
図２に、浄水器用カートリッジ１０１が浄水器本体１０２に装着された状態の浄水器１の要部の断面を模式的に示す。
【００５７】
上記第１本体側接続口１１１に第１カートリッジ側接続口１０３を接続すると、第１弁体１０９が第１コイルバネ１２０の付勢力に抗して排水口１１５側に移動する。これにより、上記第１本体側Ｏリング１２１と第１本体側接続口１１１との間に隙間が生じて、流入口１１３に流入した水道水は第１本体側接続口１１１から流出できるようになる。このとき、上記第３本体側Ｏリング１２２が排水口開閉部１１８と排水口１１５との間をシールするので、流入口１１３に流入した水道水は排水口１１５から流出できないようになる。
【００５８】
また、上記第２本体側接続口１１２に第２カートリッジ側接続口１０４を接続すると、第２弁体１１０が第２コイルバネ１２５の付勢力に抗して第２本体側接続口１１２から遠ざかる方向に移動する。これにより、上記第２本体側Ｏリング１２６と第２本体側接続口１１２との間に隙間が生じて、濾過部材１０５で生成された浄水が第２本体側接続口１１２を通過できるようになる。
【００５９】
一方、図１に示すように、上記第１本体側接続口１１１から第１カートリッジ側接続口１０３を離間させると、第１弁体１０９が第１コイルバネ１２０の付勢力で第１本体側接続口１１１側に移動する。これにより、上記第１本体側Ｏリング１２１が第１本体側接続口開閉部１１７と第１本体側接続口１１１との間をシールするので、流入口１１３に流入した水道水は第１本体側接続口１１１から流出できなくなる。このとき、上記第３本体側Ｏリング１２２と排水口１１５との間には隙間が生じるので、流入口１１３に流入した水道水は排水口１１５から流出できるようになる。
【００６０】
また、上記第２本体側接続口１１２から第２カートリッジ側接続口１０４を離間させると、第２弁体１１０が第２コイルバネ１２５の付勢力で第２本体側接続口１１２側に移動する。これにより、上記第２本体側Ｏリング１２６が第２本体側接続口開閉部１２４と第２本体側接続口１１２との間をシールする。すなわち、上記第２弁体１１０が第２本体側接続口１１２と流出口１１４との間を閉鎖する。
【００６１】
図３に、上記第１本体側接続口１１１を上方から見た模式図を示す。
【００６２】
上記第１本体側接続口１１１内には第１当接部１２７が設けられている。上記第１本体側接続口１１１への第１カートリッジ側接続口１０３の接続時、第１押し棒１１６の第１本体側接続口１１１側の端部が第１当接部１２７に当接するようになっている。また、上記第１当接部１２７は、４つの第１当接部用連結部１２８，１２９，１３０，１３１を介して第１カートリッジ側接続口１０３の内面に連結されている。また、上記第１当接部１２７に対する第１押し棒１１６の第１本体側接続口１１１側の端部の当接は、第１カートリッジ側Ｏリング１０６が第１本体側接続口１１１と第１カートリッジ側接続口１０３との間をシールした状態で行われるようになっている。すなわち、上記第１弁体１０９は、第１カートリッジ側Ｏリング１０６が第１本体側接続口１１１と第１カートリッジ側接続口１０３との間をシールした状態で、流入口１１３と第１本体側接続口１１１との間を開放または閉鎖したり、流入口１１３と排水口１１５との間を閉鎖または開放したりするようになっている。
【００６３】
図４に、上記第２本体側接続口１１２を上方から見た模式図を示す。
【００６４】
上記第２本体側接続口１１２内には第２当接部１３２が設けられている。上記第２本体側接続口１１２への第２カートリッジ側接続口１０４の接続時、第２押し棒１２３の第２本体側接続口１１２側の端部が第２当接部１３２に当接するようになっている。また、上記第２当接部１３２は、４つの第２当接部用連結部１３３，１３４，１３５，１３６を介して第２カートリッジ側接続口１０４の内面に連結されている。また、上記第２当接部１３２に対する第２押し棒１２３の第２本体側接続口１１２側の端部の当接は、第２カートリッジ側Ｏリング１０７が第２本体側接続口１１２と第２カートリッジ側接続口１０４との間をシールした状態で行われるようになっている。すなわち、上記第２弁体１１０は、第２カートリッジ側Ｏリング１０７が第２本体側接続口１１２と第２カートリッジ側接続口１０４との間をシールした状態で、第２本体側接続口１１２と流出口１１４との間を開放または閉鎖するようになっている。
【００６５】
図５に、上記浄水器１が設置されたシステムキッチンを斜め上方から見た模式図を示す。
【００６６】
上記シンク６下には浄水器１を設置しており、浄水器本体１０２の流出口１１４から流出した浄水は供給管３を流れて蛇口７から流出するようになっている。また、上記浄水器本体１０２の排水口１１５から流出した水道水は排水管４を流れてシンク６の側部の開口８から流出するようになっている。
【００６７】
また、上記システムキッチンのシンク６近傍には表示部１１が設けられている。この表示部１１は、供給管３内の浄水の水圧や、排水管４内の水道水の水圧により、表示が変わるようになっている。具体的には、上記蛇口７から浄水が出ているときには、「カートリッジ有り」の文字が表示部１１に表示される一方、開口８から水道水が出ているときには、「カートリッジ無し」の文字が表示部１１に表示される。
【００６８】
また、上記蛇口７にはハンドルレバー９が設けられている。このハンドルレバー９を手動操作することにより、水道水開閉弁１０が開閉するようになっている。
【００６９】
上記構成の浄水器１で浄水を利用する場合、図２に示すように、第１本体側接続口１１１に第１カートリッジ側接続口１０３を接続し、かつ、第２本体側接続口１１２に第２カートリッジ側接続口１０４を接続する。そうすると、上記第１弁体１０９が、流入口１１３と第１本体側接続口１１１との間を開放すると共に、流入口１１３と排水口１１５との間を閉鎖し、かつ、かつ、第２弁体１１０が第２本体側接続口１１２と流出口１１４との間を開放する。このような状態において、ハンドルレバー９を操作して、水道水開閉弁１０を開放すると、水道管２から流入口１１３に水道水が流入する。この水道水は、点線矢印Ａ１１で示すように、第１本体側接続口１１１および第１カートリッジ側接続口１０３を通過して、浄水器用カートリッジ１０１内に入る。そして、上記浄水器用カートリッジ１０１内に入った水道水は、濾過部材１０５で濾過されて浄水となった後、点線矢印Ａ１２で示すように、第２カートリッジ側接続口１０４、第２本体側接続口１１２および流出口１１４を通過する。その結果、上記浄水が蛇口７から流出するので、ユーザは浄水を料理などに使うことができる。
【００７０】
一方、上記浄水器用カートリッジ１０１を交換する場合、図１に示すように、第１本体側接続口１１１から第１カートリッジ側接続口１０３を離間させると共に、第２本体側接続口１１２から第２カートリッジ側接続口１０４を離間させる。そうすると、第１弁体１０９が、流入口１１３と第１本体側接続口１１１との間を閉鎖すると共に、流入口１１３と排水口１１５との間を開放し、かつ、第２弁体１１０が第２本体側接続口１１２と流出口１１４との間を閉鎖する。このような状態において、ハンドルレバー９を操作して、水道水開閉弁１０を開放しても、水道管２から流入口１１３に流入した水道水は、点線矢印Ａ１で示すように、第１本体側接続口１１１ではなく、排水口１１５に流れるので、流出口１１４に流れない。したがって、上記浄水器本体１０２から浄水器用カートリッジ１０１を取り外した状態では、蛇口７から水道水が流出しない。
【００７１】
このように、上記蛇口７から水が流出している場合は、その水は必ず浄水であるので、ユーザが水道水を間違って利用するのを防ぐことができる。
【００７２】
また、上記浄水器用カートリッジ１０１の交換時、新しい浄水器用カートリッジ１０１を浄水器本体１０２に装着し忘れても、ハンドルレバー９を操作して、水道水開閉弁１０を開放すると、シンク６の側部の開口８から水道水が流出するので、ユーザは浄水器用カートリッジ１０１の未装着に気付くことができる。
【００７３】
また、上記シンク６の側部の開口８から水道水が流出する時、表示部１１が「カートリッジ無し」の文字を表示するので、ユーザは浄水器用カートリッジ１０１の未装着に気付き易い。
【００７４】
また、上記浄水器用カートリッジ１０１の交換時、水道管２から流入口１１３に水道水が流入しても、その水道水は排水口１１５から流出するので、浄水器本体１０２のハウジング１０８に過大な水圧がかからない。したがって、上記水道水の水圧で浄水器本体１０２が損傷するのを防ぐことができる。
【００７５】
また、第１本体側接続口１１１から第１カートリッジ側接続口１０３を離間させると共に、第２本体側接続口１１２から第２カートリッジ側接続口１０４を離間させた状態で、流入口１１３に原水を供給しても、この原水は流出口１１４に流れないので、浄水器用カートリッジの交換時、ユーザが流出口１１４からの水で濡れるのを防ぐことができる。
【００７６】
また、上記状態で、仮に、流入口１１３に汚水を供給しても、その汚水が流出口１１４を通過しないので、汚水による流出口１１４の汚染を防ぎ、流出口１１４の清潔さを保つことができる。
【００７７】
また、上記汚水による流出口１１４の汚染を防ぐことができるので、流出口１１４を清潔にするためだけに、流出口１１４に浄水を流さなくて済む。すなわち、いわゆる捨て水を無くすことができる。したがって、上記捨て水を流す時間も無くすことができる。
【００７８】
また、上記排水口１１５から流出した水道水は排水管４を流れるが、この排水管４に逆止弁５を設けているので、排水管４内の水道水が浄水器本体１０２に逆流するのを防ぐことができる。
【００７９】
また、上記排水管４に逆止弁５を設けているので、シンク６内の汚水が開口８から浄水器本体１０２に流れるのも防ぐことができる。
【００８０】
また、上記浄水器用カートリッジ１０１の交換時、第１本体側接続口１１１を第１本体側接続口開閉部１１７で閉鎖するので、水道水が第１本体側接続口１１１から流出するのを確実に防ぐことができる。
【００８１】
また、上記濾過部材１０５による浄水の生成時、排水口１１５を排水口開閉部１１８で閉鎖するので、第１本体側接続口１１１へ向かう水道水の量が低下するのを防ぐことができる。したがって、上記浄水を効率良く生成することができる。
【００８２】
また、上記第１弁体１０９は、第１カートリッジ側Ｏリング１０６が第１本体側接続口１１１と第１カートリッジ側接続口１０３との間をシールした状態で、流入口１１３と第１本体側接続口１１１との間を開放または閉鎖するようになっているので、この開閉中に、第１本体側接続口１１１から水漏れするのを防ぐことができる。
【００８３】
また、上記第１弁体１０９は、第１カートリッジ側Ｏリング１０６が第１本体側接続口１１１と第１カートリッジ側接続口１０３との間をシールした状態で、流入口１１３と排水口１１５との間を開放または閉鎖するようになっているので、この開閉中に、第１本体側接続口１１１から水漏れするのを防ぐことができる。
【００８４】
また、上記第１本体側接続口１１１から第１カートリッジ側接続口１０３を離間させると共に、第２本体側接続口１１２から第２カートリッジ側接続口１０４を離間させたときに、第２弁体１１０が第２本体側接続口１１２と流出口１１４との間を閉鎖するので、流出口１１４から水が流出するのを確実に防ぐことができる。
【００８５】
また、上記第２弁体１１０は、第２カートリッジ側Ｏリング１０７が第２本体側接続口１１２と第２カートリッジ側接続口１０４との間をシールした状態で、第２本体側接続口１１２と流出口１１４との間を開放または閉鎖するようになっているので、この開閉中に、第２本体側接続口１１２から水漏れするのを防ぐことができる。
【００８６】
上記実施形態において第２弁体１１０を設けないようにしたものを本発明の一実施形態としてもよいが、この一実施形態よりも、流出口１１４から水が流出するのを防ぐためには第２弁体１１０を設けるのが好ましい。
【００８７】
また、上記実施形態のハウジング１０８に換えて、図６に示すように、第１の手段の一例としての三方弁２０１と、第２の手段の一例としての二方弁３０１とを用いてもよい。なお、図６において、図１に示した構成部と同一構成部は、図１における構成部と同一参照番号を付している。
【００８８】
上記三方弁２０１は、流入口の一例としての三方弁側第１ポート２０２と、第１本体側接続口の一例としての三方弁側第２ポート２０３と、排水口の一例としての三方弁側第３ポート２０４とを有している。この三方弁側第２ポート２０３には第１カートリッジ側接続口１０３を着脱可能である。また、上記三方弁２０１は、第１カートリッジ側接続口１０３と三方弁側第２ポート２０３との接続または離間に連動して、三方弁側第１ポート２０２と三方弁側第２ポート２０３との間を開放または閉鎖すると共に、三方弁側第１ポート２０２と三方弁側第３ポート２０４との間を閉鎖または開放するようになっている。
【００８９】
上記二方弁３０１は、第２本体側接続口の一例としての二方弁側第１ポート３０２と、流出口の一例としての二方弁側第２ポート３０３とを有している。この二方弁側第１ポート３０２には第２カートリッジ側接続口１０４を着脱可能である。また、上記二方弁３０１は、第２カートリッジ側接続口１０４と二方弁側第１ポート３０２との接続または離間に連動して、二方弁側第１ポート３０２と二方弁側第２ポート３０３との間を開放または閉鎖するようになっている。
【００９０】
したがって、上記三方弁２０１および二方弁３０１を用いても、上記実施形態と同様の作用効果が得られる。
【００９１】
上記実施形態のハウジング１０８に換えて、第１弁体１０９と第２弁体１１０とを内部に収容した配管を用いても構わない。
【００９２】
上記実施形態の第１弁体１０９に換えて、例えばバタフライ弁の弁体を設けて、この弁体が第１カートリッジ側接続口１０３と第１本体側接続口１１１との接続，離間に連動するようにしてもよい。
【００９３】
上記実施形態の第２弁体１１０に換えて、例えばバタフライ弁の弁体を設けて、この弁体が第２カートリッジ側接続口１０４と第２本体側接続口１１２との接続，離間に連動するようにしてもよい。
【００９４】
上記実施形態では、ハンドルレバー９を操作することにより、水道水開閉弁１０が開閉するようになっていたが、ハンドルレバー９を操作しても、水道水開閉弁１０が開閉しないようにしてもよい。この場合、例えば、上記水道管２に設けた操作部で水道水開閉弁１０を開閉するようにすると共に、ハンドルレバー９の操作で蛇口７内の浄水の流れを制御するようにしてもよい。
【００９５】
上記実施形態では、浄水器本体１０２の排水口１１５から流出した水道水は排水管４を流れてシンク６の側部の開口８から流出するようになっていたが、蛇口７とは別に設けた蛇口からシンク６内に向かって流出するようにしてもよい。
【００９６】
本発明の具体的な実施形態について説明したが、この発明は上記実施形態に限定されるものではなく、本発明の範囲内で種々変更して実施することができる。
【符号の説明】
【００９７】
１…浄水器
２…水道管
３…供給管
４…排水管
５…逆止弁
６…シンク
７…蛇口
８…開口
１０１…浄水器用カートリッジ
１０２…浄水器本体
１０３…第１カートリッジ側接続口
１０４…第２カートリッジ側接続口
１０５…濾過部材
１０６…第１カートリッジ側Ｏリング
１０７…第２カートリッジ側Ｏリング
１０８…ハウジング
１０９…第１弁体
１１０…第２弁体
１１１…第１本体側接続口
１１２…第２本体側接続口
１１３…流入口
１１４…流出口
１１５…排水口
１１７…第１本体側接続口開閉部
１１８…排水口開閉部
１２０…第１コイルバネ
１２１…第１本体側Ｏリング
１２２…第３本体側Ｏリング
１２４…第２本体側接続口開閉部
１２５…第２コイルバネ
１２６…第２本体側Ｏリング
２０１…三方弁
２０２…三方弁側第１ポート
２０３…三方弁側第２ポート
２０４…三方弁側第３ポート
３０１…二方弁
３０２…二方弁側第１ポート
３０３…二方弁側第２ポート
【図１】
2012217979.tif 000003
【図２】
2012217979.tif 000004
【図３】
2012217979.tif 000005
【図４】
2012217979.tif 000006
【図５】
2012217979.tif 000007
【図６】
2012217979.tif 000008